(57)【特許請求の範囲】
【請求項１】
下方側に掛け針６を有する幹糸２と、一方側に掛け具５を有する枝糸４とから成り、枝糸４を幹糸２に沿って移動可能な状態として配置させるとともに、係止具３により枝糸４の他方側を幹糸２に係止させ得るようにし、枝糸４の掛け具５に加わる力により係止状態が解除されるように構成したことを特徴とする釣り用仕掛。
【発明の詳細な説明】
【０００１】
【発明が属する技術分野】
この発明は、アジやイワシ等の生き餌を用いて釣を行なう際に使用する仕掛に関するものである。
【０００２】
【従来の技術】
イカ釣り等を行なう場合、擬餌針を使用した釣りが行なわれることが多いのであるが、どのような魚を狙うにしても、アジやイワシ等の生き餌は最高の餌であり、擬餌を使用する場合に比べて、比較にならない釣果が期待できるのである。例えば、アジ等の生き餌を使用してイカ釣りを行なうような場合には、釣り糸の先端に生きたアジを結び付けて投下し、イカがアジを捕らえた段階で、ピアノ線に掛け針を取り付けた構成のヤエンを釣り糸に沿って落とし込み、ヤエンの掛け針によりイカを釣りあげるといブッコミ釣りが行なわれており、また、ヒラメやハマチを狙うよな場合には、大きな釣り針に小アジを引っ掛けた状態で泳がせ、ヒラメやハマチにアジをまるごと食わせて釣り上げるという釣法が採られているのである。
【０００３】
【発明が解決しようとする課題】
しかし、従来行なわれているヤエン釣りは、ヤエンの投入のタイミングが難しく、投入に手間取っていると、せっかく乗ったイカを逃がして仕舞うことになるし、また、タイミング良く投入できても、ヤエンの掛け針とイカとが離れている場合が多く、ヤエンによってイカを釣り上げ得る確率は非常に少ないのが実情である。また、ヒラメやハマチを狙うような場合にあっては、大きな釣り針を小さなアジに付け泳がせていると、魚に強い警戒心を与え、捕食に至らないことが多いのである。
【０００４】
この発明は、アジ等の生き餌を使用してイカ釣りやヒラメ釣り等を行なう際に使用する仕掛に関するものであって、従来のものにみられた上記のような欠点を除去しようとするものである。
【０００５】
【実施例】
図面にもとづいて、この発明の実施例を説明すると、釣り用仕掛本体１は、図１ないし図５に示すとおり、下方側に掛け針６を有する幹糸２と、一方側に掛け具５を有する枝糸４とから成り、枝糸４を幹糸２に沿って移動可能な状態として配置させるとともに、係止具３により枝糸４を幹糸２に係止させ得るように形成されており、枝糸４に力が加わった場合、係止具３の変形により、その係止状態が解除されるように形成した構成となっているのである。
【０００６】
すなわち、幹糸２は、下方部に掛け針６を取り付けた糸部と、パイプ９の外側部に、環状の形状記憶合金等からなる掛け止め具１２を取り付けた構成の係止具３とから成っており、糸部をパイプ９の内部に挿通させた後、パイプ９の上下位置にビーズ玉１０・１０を配置させるとともに、その上下位置にストッパー１３・１３を取り付けることによって、糸部に対して、係止具３が回転可能な状態となるようにして取り付けられており、糸部の上端部には、釣り竿から延出した釣り糸に連結するためのサル環１４を取り付け、また、掛け針６の下端部には、錘１５を取り付けるフック８が形成された構成となっているのである。従って、掛け止め具１２に、枝糸４の環部７を掛け止めることによって、枝糸４を係止させ得ることが出来るとともに、枝糸４を引っ張った場合、図３に示すとおり、掛け止め具１２が伸びて係止状態が解除される構成となっているのである。
【０００７】
枝糸４は、図１ないし図３に示すとおり、一方側端部に掛け具５を結び付けるとともに、他方側端部に環部７を形成した構成となっており、環部７の基部には、連結具１１が配置されており、連結具１１は、その上下位置に取り付けられたストッパー１６・１６により保持されており、連結具１１の環１７内に幹糸２を挿通させた状態にすることにより、幹糸２に対して、移動、回転が可能な状態として取り付けられた構成となり、枝糸４を下方に引っ張った場合、枝糸４の係止状態が解除され、枝糸４に取り付けた掛け具５は、幹糸２の掛け針６付近まで落下する構成となっているのである。
【０００８】
上記は、枝糸４を係止する弾性係止具３を幹糸２に形成した場合の実施例であるが、別実施例としては、図６に示すとおり、弾性係止具３を枝糸４の端部に取り付けるとともに、幹糸２にフック部１８を形成し、枝糸４の係止具３を幹糸２のフック部１８に係合させることによって、枝糸４を係止できるように構成とすることも可能である。
【０００９】
この発明にかかる釣り用仕掛は、上記のような構成であって、その使用は図４並びに図５に示すような要領によって行なわれるのである。すわち、幹糸２に形成した係止具３に、枝糸４の端部に形成した環７を掛け合わせて係止させた状態とした後、釣り竿から延出した釣り糸をサル環１４に、また、錘１５か延びた糸２１をフック８にそれぞれ結び付けるとともに、掛け具５にアジ１９を取り付けて海中に投下し、アジ１９にイカ２０が乗るのを待つという要領で行なわれるのである。アジ１９にイカ２０が乗った場合、イカ２０はアジ１９を抱いて引き込もうとするのであるが、その瞬間、枝糸４が係止具３から外れ、アジ１９を抱いたままの状態でイカ２０が掛け針６側に移動して掛ることになり、また、イカが乗った際のアタリにより、竿によるシャクリ動作を加えるとこにより、確実にイカ２０を捕えることができることになるのである。
【００１１】
【発明の効果】
この発明にかかる釣り用仕掛は、上記のような構成であって、従来のイカ釣りにみられたようなヤエンの投入といった面倒な操作を行なう必要がなく、極めて簡単、確実に、獲物を取り込め得るし、また、掛け針がアジ等の生き餌と離れた位置にあり、魚に警戒心を与えることなく、捕食させることができるという利点があるのである。
【００１２】
すなわち、この発明にかかる仕掛にあっては、イカ２０がアジ１９に乗って引っ張り込んだ場合、図５に示すように、枝糸４の係止状態が外れてイカ２０が掛け針６付近に自動的に移動して掛ることになり、従来のようにヤエンの投入といった面倒な作業を行なうことなく、確実にイカを取り込むことができ、また、ヤエンを投入しづらいような場所でも、効率よくイカ釣りを行ない得るという利点があるのである。
【００１３】
また、アジ１９等の生き餌を使用してヒラメ釣り等を行なう場合、掛け針６がアジ１９等と離れた位置にある結果、警戒心の強いヒラメ等も警戒心をいだくことなく捕食し、従来の泳がせ釣りにみられない釣果を期待できるという利点があるのである。
【図面の簡単な説明】
【図１】仕掛の全体の構成を示す正面図である。
【図２】仕掛の構成を示す部分拡大斜視図である。
【図３】仕掛の構成を示す部分拡大斜視図である。
【図４】仕掛の使用状態を示す正面図である。
【図５】仕掛の使用状態を示す正面図である。
【図６】別実施例を示す部分拡大斜視図である。
【符号の説明】
１  釣り用仕掛本体
２  幹糸
３  係止具
４  枝糸
５  掛け具
６  掛け針
【図１】
0003928081.tif 000002
【図２】
0003928081.tif 000003
【図３】
0003928081.tif 000004
【図４】
0003928081.tif 000005
【図５】
0003928081.tif 000006
【図６】
0003928081.tif 000007